(57)【特許請求の範囲】
【請求項１】
ポンプ機構と、赤外線放出器と、感光検出器と、処理手段とを含む眼の眼内圧力測定装置の作動方法であって、
（Ａ）前記ポンプ機構が角膜変形用の流体パルスを発生する工程と、
（Ｂ）前記ポンプ機構が前記角膜変形用の前記流体パルスを発生する前記工程の間、前記赤外線放出器が前記角膜で反射させるための斜めの入射光ビームを発生する工程と、
（Ｃ）前記感光検出器が前記入射光ビームが前記角膜で反射される光を検出する工程と、
（Ｄ）前記感光検出器によって発生される、前記反射される光のピーク信号から、前記処理手段が前記角膜の第１の圧平状態の時間および第２の圧平状態の時間を表示する信号を発生する工程と、
（Ｅ）前記処理手段が前記第１の圧平状態の前記時間に対応する第１のプレナム圧力および前記第２の圧平状態の前記時間に対応する第２のプレナム圧力を測定する工程と、
（Ｆ）前記処理手段が前記第１のプレナム圧力および第２のプレナム圧力をそれぞれの第１の回帰方程式および第２の回帰方程式に入力し、それぞれの第１の眼内圧力値および第２の眼内圧力値を得る工程と、
（Ｇ）前記処理手段が前記第１および第２の眼内圧力値に基づく最終眼内圧力値を計算する工程と、
を備えた、眼の眼内圧力測定装置の作動方法。
【請求項２】
前記処理手段が、前記第１の眼内圧力値と前記第２の眼内圧力値とを平均することによって、前記眼内圧力値を計算する、請求項１記載の眼内圧力測定装置の作動方法。
【請求項３】
ポンプ機構と、赤外線放出器と、感光検出器と、処理手段とを含む眼の眼内圧力測定装置の作動方法であって、
（Ａ）前記ポンプ機構が角膜変形用の流体パルスを発生する工程と、
（Ｂ）前記ポンプ機構が前記角膜変形用の前記流体パルスを発生する前記工程の間、前記赤外線放出器が前記角膜で反射させるための斜めの入射光ビームを発生する工程と、
（Ｃ）前記感光検出器が前記入射光ビームが前記角膜で反射される光を検出する工程と、
（Ｄ）前記角膜の第１の圧平状態の時間および第２の圧平状態の時間に、前記処理手段が前記流体パルスに関連する圧力データを取得する工程と、
（Ｅ）前記取得した圧力データに基づき、前記処理手段が最終眼内圧力値を計算する工程と、
を備えた、眼の眼内圧力測定装置の作動方法。
【請求項４】
ポンプ機構と、赤外線放出器と、感光検出器と、処理手段とを含む眼の眼内圧力測定装置の作動方法であって、
（Ａ）前記ポンプ機構が角膜変形用の流体パルスを発生する工程と、
（Ｂ）前記ポンプ機構が前記角膜変形用の前記流体パルスを発生する前記工程の間、前記赤外線放出器が前記角膜で反射させるための斜めの入射光ビームを発生する工程と、
（Ｃ）前記感光検出器が前記入射光ビームが前記角膜で反射される光を検出する工程と、
（Ｄ）前記感光検出器によって発生される、前記反射される光のピーク信号から、前記処理手段が前記角膜の第１の圧平状態の時間および第２の圧平状態の時間を表示する信号を発生する工程と、
（Ｅ）前記処理手段が前記第１の圧平状態の前記時間に対応する第１のプレナム圧力および前記第２の圧平状態の前記時間に対応する第２のプレナム圧力を測定する工程と、
（Ｆ）前記処理手段が前記第１プレナム圧力と前記第２プレナム圧力とを平均し、平均プレナム圧力を得る工程と、
（Ｇ）前記処理手段が前記平均プレナム圧力を対応する回帰方程式に入力し、最終眼内圧力値を計算する工程と、
を備えた、眼の眼内圧力測定装置の作動方法。
【請求項５】
（Ａ）角膜変形用の流体パルスを発生する工程と、
（Ｂ）前記角膜変形用の前記流体パルスを発生する前記工程の間、前記角膜で反射させるための斜めの入射光ビームを発生する工程と、
（Ｃ）前記入射光ビームが前記角膜で反射される光を感光検出器で検出する工程と、
（Ｄ）前記感光検出器によって発生される、前記反射される光のピーク信号から、前記角膜の第１の圧平状態の時間および第２の圧平状態の時間を表示する信号を発生する工程と、
（Ｅ）前記第１の圧平状態の前記時間に対応する第１のプレナム圧力および前記第２の圧平状態の前記時間に対応する第２のプレナム圧力を測定する工程と、
（Ｆ）前記第１のプレナム圧力および第２のプレナム圧力をそれぞれの第１の回帰方程式および第２の回帰方程式に入力し、それぞれの第１の眼内圧力値および第２の眼内圧力値を得る工程と、
（Ｇ）前記第１および第２の眼内圧力値に基づく最終眼内圧力値を計算する工程と、
を備えた、眼の眼内圧力を測定するプログラム。
【請求項６】
前記第１の眼内圧力値と前記第２の眼内圧力値とを平均することによって、前記眼内圧力値を計算する、請求項５記載の眼内圧力を測定することを特徴とするプログラム。
【請求項７】
（Ａ）角膜変形用の流体パルスを発生する工程と、
（Ｂ）前記角膜変形用の前記流体パルスを発生する前記工程の間、前記角膜で反射させるための斜めの入射光ビームを発生する工程と、
（Ｃ）前記入射光ビームが前記角膜で反射される光を感光検出器で検出する工程と、
（Ｄ）前記角膜の第１の圧平状態の時間および第２の圧平状態の時間に、前記流体パルスに関連する圧力データを取得する工程と、
（Ｅ）前記取得した圧力データに基づき、最終眼内圧力値を計算する工程と、
を備えた、眼の眼内圧力を測定するプログラム。
【請求項８】
（Ａ）角膜変形用の流体パルスを発生する工程と、
（Ｂ）前記角膜変形用の前記流体パルスを発生する前記工程の間、前記角膜で反射させるための斜めの入射光ビームを発生する工程と、
（Ｃ）前記入射光ビームが前記角膜で反射される光を感光検出器で検出する工程と、
（Ｄ）前記感光検出器によって発生される、前記反射される光のピーク信号から、前記角膜の第１の圧平状態の時間および第２の圧平状態の時間を表示する信号を発生する工程と、
（Ｅ）前記第１の圧平状態の前記時間に対応する第１のプレナム圧力および前記第２の圧平状態の前記時間に対応する第２のプレナム圧力を測定する工程と、
（Ｆ）前記第１プレナム圧力と前記第２プレナム圧力とを平均し、平均プレナム圧力を得る工程と、
（Ｇ）前記平均プレナム圧力を対応する回帰方程式に入力し、最終眼内圧力値を計算する工程と、
を備えた、眼の眼内圧力を測定するプログラム。
【発明の詳細な説明】
【０００１】
【発明の属する技術分野】
本発明は、眼科用機器および方法の分野に関し、より詳細には眼の眼内圧力（ＩＯＰ）を測定するための非接触式眼圧測定のための改良された方法に関する。
【０００２】
【従来の技術】
ＩＯＰを測定するための眼圧計は、元々は接触式の機器として開発されたものであり、このことは、測定中に機器の一部が角膜に接触することを意味する。このタイプの周知の機器として、１９５０年代に最初に開発されたゴールドマン（Goldmann）の圧平眼圧計（ＧＡＴ）が挙げられる。このＧＡＴは角膜の既知の領域を平坦にするのに必要な力を測定するものであり、今日では標準装置として使用されており、他のタイプの眼圧計はその測定精度を評価するためにこの標準的なＧＡＴと比較されるようになっている。
【０００３】
ＧＡＴのような接触式眼圧計を用いると、患者は不快感を感じるので、非接触式眼圧計（ＮＣＴ）が開発された。この非接触式眼圧計（ＮＣＴ）はポンプ機構によって発生された空気パルスを排出管を通して角膜に向けて発射し、圧平を生じさせるものである。流体パルスによって角膜が変形される際に、角膜に斜めに入射し、角膜で反射された光ビームを検出することにより光電気システムが角膜をモニタし、角膜の反射表面が平坦になった時の圧平の瞬間にピーク検出信号が発生するようになっている。
【０００４】
現在の技術レベルのＮＣＴでは、プレナム圧力信号を生じるようにパルスが発生される際のポンプのプレナム圧力を圧力トランスジューサが設定するようになっており、このプレナム圧力は一般にガウス分布に近似し、よって圧平が達成される瞬間のプレナム圧力を測定できる。次に基準値としてＧＡＴに対する機器の臨床的較正中に記憶された線形回帰方程式を使って、圧平時のプレナム圧力をＩＯＰ値（ｍｍＨｇを単位とする）に変換する。ＮＣＴの信頼性の主な指標は、ＮＣＴとＧＡＴの臨床的読み取り値のマッチングされたペアの差Ｓｄの標準偏差値である。
【０００５】
ＮＣＴは適性に信頼できるＩＯＰ測定値を与えるが、最近の研究によれば、角膜の厚みの効果がＮＣＴの表示値に大きい影響を与えることが判っている。空気パルスは角膜を押圧する眼内流体を押し除けるのと対照的に、角膜の組織自体を曲げるエネルギーの一部を消費するので、ＩＯＰの表示値が誤って増加する。例えばCopt Ｒ−Ｐ、Thomas Ｒ、Mermoud Ａ著、「眼内高圧力における角膜の厚み、基本的な開放角緑内障および正常眼内圧力緑内障」(Corneal Thickness in Ocular Hypertension, Primary Open-angle Glaucoma, and Normal Tension Glaucoma)、Arch Ophthalmol.第１１７巻、１４〜１６ページ（１９９９年）；EmaraＢ、Probst LE, Tingey ＤＰ、Kennedy ＤＷ外著、「レーザーによる現場での角膜曲率形成手術後の眼内圧力と正常な近視眼における中心角膜の厚みの相関性」(Correlation of  intraocular Pressure and Central Corneal Thickness in Normal Myopic Eyes After Laser in situ Keratomileusis)、J Cataract Refract Surg、第２４巻：１３２０〜１３２５ページ（１９９８年）；Stodtmeister Ｒ著「角膜の厚みに従った圧平眼圧測定および補正」(Applanation Tonometry and Correction According to Corneal Thickness) Acta Ophthalmol Scand、第７６巻：３１９〜３２４ページ（１９９８年）；Argus,ＷＡ著「高眼圧症および中心角膜の厚み」(Ocular Hypertension and Central Corneal Thickness)、Ophthalmol、第１０２巻：１８１０〜１８１２ページ（１９９５年）を参照されたい。角膜が比較的厚い人にとって、従来の方法で測定されたＩＯＰ値はかなりの影響を受けることがある。従って、角膜に対し測定されたＩＯＰを補正する試みは、一般に別の測定機器を使って角膜の厚みを測定し、測定された角膜の厚みに基づく値だけ測定されたＩＯＰを補正する必要がある。１９９５年１２月１２日に発行された米国特許第5,474,066号（グロルマン）は、この方法を記載している。
【０００６】
【発明により解決しようとする課題】
非接触式ＩＯＰ測定中、角膜は実際には当初の凸状状態から最初の圧平状態を経て若干凹状の状態に変形し、空気パルスが減衰するにつれて凹状態から第２の圧平状態を経て凸状に復帰し得る。実際には第２の圧平状態に対応する圧平信号で第２のピークが発生することが知られている。これまで、非接触式圧平方法はＩＯＰを計算するための回帰方程式に入力するための第１の圧平状態に関連するプレナム圧力しか考慮しておらず、第２の圧平状態に関連するプレナム圧力は無視していた。
【０００７】
従って、本発明の課題は、真のＩＯＰのより正確な測定値を与える改良された非接触式眼圧測定装置の作動方法を提供することにある。
【０００８】
本発明の別の課題は、ＩＯＰ測定値に影響する要因としての角膜の厚みを除いた、非接触式眼圧測定装置の作動方法を提供することにある。
【０００９】
本発明のさらに別の課題は、現在のＮＣＴ用ハードウェアを使って上記目的を達成することにある。
【００１０】
【解決手段】
本発明の第１の視点において、ポンプ機構と、赤外線放出器と、感光検出器と、処理手段とを含む眼の眼内圧力測定装置の作動方法は、（Ａ）前記ポンプ機構が角膜変形用の流体パルスを発生する工程と、
（Ｂ）前記ポンプ機構が前記角膜変形用の前記流体パルスを発生する前記工程の間、前記赤外線放出器が前記角膜で反射させるための斜めの入射光ビームを発生する工程と、
（Ｃ）前記感光検出器が前記入射光ビームが前記角膜で反射される光を検出する工程と、
（Ｄ）前記感光検出器によって発生される、前記反射される光のピーク信号から、前記処理手段が前記角膜の第１の圧平状態の時間および第２の圧平状態の時間を表示する信号を発生する工程と、
（Ｅ）前記処理手段が前記第１の圧平状態の前記時間に対応する第１のプレナム圧力および前記第２の圧平状態の前記時間に対応する第２のプレナム圧力を測定する工程と、
（Ｆ）前記処理手段が前記第１のプレナム圧力および第２のプレナム圧力をそれぞれの第１の回帰方程式および第２の回帰方程式に入力し、それぞれの第１の眼内圧力値および第２の眼内圧力値を得る工程と、
（Ｇ）前記処理手段が前記第１および第２の眼内圧力値に基づく最終眼内圧力値を計算する工程と、
を備えることを特徴とする。
【００１１】
本発明の第２の視点において、ポンプ機構と、赤外線放出器と、感光検出器と、処理手段とを含む眼の眼内圧力測定装置の作動方法は、
（Ａ）前記ポンプ機構が角膜変形用の流体パルスを発生する工程と、
（Ｂ）前記ポンプ機構が前記角膜変形用の前記流体パルスを発生する前記工程の間、前記赤外線放出器が前記角膜で反射させるための斜めの入射光ビームを発生する工程と、
（Ｃ）前記感光検出器が前記入射光ビームが前記角膜で反射される光を検出する工程と、
（Ｄ）前記角膜の第１の圧平状態の時間および第２の圧平状態の時間に、前記処理手段が前記流体パルスに関連する圧力データを取得する工程と、
（Ｅ）前記取得した圧力データに基づき、前記処理手段が最終眼内圧力値を計算する工程と、
を備えることを特徴とする。
【００１２】
本発明の第３の視点において、ポンプ機構と、赤外線放出器と、感光検出器と、処理手段とを含む眼の眼内圧力測定装置の作動方法は、（Ａ）ポンプ機構が角膜変形用の流体パルスを発生する工程と、
（Ｂ）前記ポンプ機構が前記角膜変形用の前記流体パルスを発生する前記工程の間、赤外線放出器が前記角膜で反射させるための斜めの入射光ビームを発生する工程と、
（Ｃ）感光検出器が前記入射光ビームが前記角膜で反射される光を検出する工程と、
（Ｄ）前記感光検出器によって発生される、前記反射される光のピーク信号から、処理手段が前記角膜の第１の圧平状態の時間および第２の圧平状態の時間を表示する信号を発生する工程と、
（Ｅ）前記処理手段が前記第１の圧平状態の前記時間に対応する第１のプレナム圧力および前記第２の圧平状態の前記時間に対応する第２のプレナム圧力を測定する工程と、
（Ｆ）前記処理手段が前記第１プレナム圧力と前記第２プレナム圧力とを平均し、平均プレナム圧力を得る工程と、
（Ｇ）前記処理手段が前記平均プレナム圧力を対応する回帰方程式に入力し、最終眼内圧力値を計算する工程と、
を備えることを特徴とする。
さらに、本発明の第４の視点において、上記第１〜第３の各視点は夫々、対応するプログラム（ソフトウェア）によって実現される。
【００１３】
【発明の実施の形態】
本発明の第１実施形態に係る非接触式眼圧測定方法は次の工程を含む。最初に、従来技術と同じように、角膜に流体パルスを向け、凸状状態から第１の圧平状態を経て凹状状態へ変形し、再びこの凹状状態から第２の圧平状態を経て凸状状態に戻る、角膜の可逆的変形を生じさせる。第１の圧平時間ｔ1および第２の圧平時間ｔ2を示す信号を発生するために、時間の関数としての角膜の変形量をモニタする。角膜の変形量をモニタする際に、ポンプ機構のプレナム圧力は流体パルスを発生し、第１の圧平時間ｔ1に対応する第１のプレナム圧力ＰＰ1および第２の圧平時間ｔ2に対応する第２のプレナム圧力ＰＰ2を決定する。まず、第１の眼内圧力値ＩＯＰ1発生するために第１の回帰方程式の係数として第１のプレナム圧力ＰＰ1を入力し、第２の眼内圧力値ＩＯＰ2を発生するために第２の回帰方程式の係数として第２のプレナム値ＰＰ2を入力する。次に、２つの値ＩＯＰ1とＩＯＰ2とを平均し、最終的にレポートされる眼内圧力値ＩＯＰｘを計算する。これとは異なり、ＩＯＰｆを計算するために単一の対応する回帰方程式の係数として、第１のプレナム圧力と第２のプレナム圧力との平均値ＰＰAVGを入力してもよい。
【００１４】
以下、添付図面を参照した好ましい実施例の次の詳細な説明に基づき、本発明の性質および作動の態様についてより完全に説明する。
【００１５】
【実施例】
本発明に係わる改良された眼圧測定方法は、本願出願人であるライカマイクロシステムズインコーポレイテッド（Leica Microsystems Inc.）によって製造されているＮＣＴを含み、マイクロプロセッサ（コンピュータ）制御手段を有する現在のＮＣＴ装置によって実現できる。眼科用機器の当業者には明らかとなるように、本書に記載の方法は較正技術および機器の測定制御ソフトウェアを変更することによって実現でき、この方法は別のハードウェアまたは異なるハードウェアを必要としない。このソフトウェアは、コンピュータ装置を介して実行されるプログラムとして実現される。
【００１６】
図１のフローチャートに示されるように、ＮＣＴ測定方法は角膜に向けて流体パルスを発生することによって開始される。この流体パルスの発生は、例えば本書に引用により繰込まれる米国特許第3,756,073号に教示されているように、眼の正面に整合された流体排出チューブと流体で連通するソレノイドで駆動されるパルス機構を附勢することによって一般に達成される。流体パルスによって角膜に与えられるインパルスエネルギーは可逆的に最初の凸状状態から第１の圧平状態を経て、凹状状態に角膜を変形する。空気パルスが減衰するにつれ、または空気パルスがポンプソレノイドの除勢によって制御可能に減少するにつれ、角膜は凹状状態から第２の圧平状態を経て、元の凸状状態に復帰する。当技術分野では、ポンプ機構を駆動するためにソレノイドを使用することは一般的なことであるが、リニアモーターのような別の駆動手段も公知であり、このような駆動手段も使用できることに留意すべきである。
【００１７】
図２ａおよび２ｂは、ダイナミック効果を無視した場合の、ＮＣＴの測定中の、第１の圧平（図２ａ）および第２の圧平（図２ｂ）の瞬間に、角膜Ｃに作用する力をそれぞれ示す簡略化された図である。これら図では、Ｆ1は入射流体パルスの内側に向いた力を示し、Ｆ2は角膜の組織自体を曲げるのに必要な力を示し、Ｆ3は測定すべき値である眼内圧力に寄与する外側に向いた力を示す。第１の圧平時に力Ｆ2は次の式で示されるように、流体パルスが発生する力Ｆ1に抗するよう、力Ｆ3と共に作用する。
【００１８】
【数１】
0004017835.tif 000002
【００１９】
しかしながら、第２の圧平時に、力Ｆ2は眼内圧力により生ずる力Ｆ3に抗するように流体パルスの力Ｆ1と共に作用する。
【００２０】
【数２】
0004017835.tif 000003
【００２１】
従って、この系は次の式で示すことができる。
【００２２】
【数３】
0004017835.tif 000004
【００２３】
上記式では、Ｆ3が純粋にＦ1、INとＦ1、OUTの項だけで表記できるように、角膜の厚みに起因する力Ｆ2が消去されていることに気づくことができよう。Ｆ1、INおよびＦ1、OUTは直接観察できる値、すなわちポンプのプレナム圧力に関係しており、真のＩＯＰは直接Ｆ3に関係しているので、下記のように第１の圧平状態および第２の圧平状態の双方からのデータを使用することにより、角膜の厚みの影響を受けることなく、求める真のＩＯＰを測定できる。ＩＯＰの測定時に第２の圧平状態を考慮するこの方法は、従来の方法とは異なるものである。
【００２４】
次に、本発明に係わる好ましい眼圧測定方法を説明するために、図１、３および４に注目する。上記のような角膜の変形中にＮＣＴの光電気システムは角膜の形状をモニタし、圧平信号を発生する。より詳細に説明すれば、当業者には公知のように、斜めの入射光ビームを角膜に向けるように、機器の中心整合軸線の片側に赤外線放出器（発射器）が設けられており、角膜で反射された光を受けるよう、赤外線放出器に対称的に対向するよう、整合軸線の反対側に感光検出器が設けられている。角膜が凸状または凹状となると、斜めに入射した光ビームは湾曲した角膜の表面で反射する際に扇形に広がり、反射された光のほとんどは検出器によって検出されない。しかしながら、角膜が圧平状態に近づくにつれ、斜めに入射した光ビームは平らになった角膜表面から検出器に向けてコヒーレントに反射される。従って、検出器は圧平状態を示すピーク信号を発生する。図３は時間に対する実際の圧平信号を示し、第１のピークは第１の圧平時間ｔ1を示し、第２のピークは第２の圧平時間ｔ2を示す。図１によれば、この圧平信号情報は第１の圧平時間ｔ1および第２の圧平時間ｔ2を測定するための処理手段に入力される。従来の方法では第１の圧平時間ｔ1しか記録していなかった。更に、角膜の変形中でもポンプ機構に関連するプレナム圧力はプレナム圧力信号を発生するために時間の関数として測定されていた。このプレナム圧力はミニチュアの圧力トランスジューサによって測定できるし、また、圧力と既知のレートで増加する圧力ランプ関数に対する時間とを相関化することによって間接的に測定できる。これら双方の方法は非接触式眼圧測定技術で知られているものである。図３は、圧平信号に重ねられた実際のプレナム圧力信号を示す。プレナム圧力信号は、一般にガウス分布に近似している。圧平信号のようなプレナム圧力信号は処理手段に入力され、よって第１の圧平時間ｔ1における第１のプレナム圧力ＰＰ1および第２の圧平時間ｔ2における第２のプレナム圧力ＰＰ2の測定を可能にする。
【００２５】
上記実施例の方法によれば、臨床的設定における機器の較正の結果として、機器のメモリに記憶されたそれぞれの回帰方程式内に双方のプレナム圧力ＰＰ1およびＰＰ2が入力される。図４は本発明の方法を実施する非接触式圧力計のための２つのそれぞれの線形回帰方程式を定式化するのに使用される臨床的較正測定値のプロットの一例を示す。臨床的トライアルで検証する各眼をＧＡＴ機器およびＮＣＴ機器で測定する。ダイアモンド形状のデータポイント（プロット点）は対応するＧＡＴ測定値（ｍｍＨｇ）（ｘ軸）に対するＮＣＴによって測定された第１のプレナム圧力ＰＰ1（ｙ軸）を示し、一方、正方形のデータポイントは同じように対応するＧＡＴ測定値に対するＮＣＴによって測定された第２のプレナム圧力ＰＰ2を示す。最小二乗法アルゴリズムによって決定される線形回帰方程式のようなそれぞれの回帰方程式に、２つの組の較正データポイントが適合され、機器のメモリ内に回帰方程式が記憶される。線形回帰方程式を本書では図４を参照して示すが、非線形回帰方程式も誘導することができ、この非線形回帰方程式も本発明の方法の範囲内に入ることに留意すべきである。
【００２６】
本書に説明する実施例に係わる実際の患者を測定する間、第１プレナム圧力ＰＰ1は第１の回帰方程式を使って第１の眼内圧力値ＩＯＰ1に変換され、第２のプレナム圧力ＰＰ2は第２の回帰方程式を使って第２の眼内圧力値ＩＯＰ2に変換される。次に、角膜の厚みの影響をキャンセルするように、図２ａおよび２ｂの説明で示唆したように、第１のＩＯＰ値と第２のＩＯＰ値を平均する。この平均化工程によって最後にレポートされる値ＩＯＰｆが生じる。
【００２７】
上記方法の別の方法として、ＰＰＡＶＧを生じるように第１のプレナム圧力ＰＰ1と第２のプレナム圧力ＰＰ2とを平均化することができ、この平均値を機器のための臨床較正によって決定された単一の回帰方程式へ入力し、最終のレポートされる値ＩＯＰｆを発生することができる。この方法は図５に略図で示されている。２つのそれぞれの回帰方程式を決定するために、対応するＧＡＴ測定値に対して第１のＮＣＴプレナム圧力ＰＰ1と第２のＮＣＴプレナム圧力ＰＰ2の各々を別々にプロットする上記較正方法と対照的に、別の方法による較正ではＮＣＴプレナム圧力ＰＰ1とＰＰ2とを平均し、対応するＧＡＴ測定値に対してプロットすることが必要である。最小二乗法アルゴリズムによって決定される線形回帰方程式のような単一の回帰方程式にこの組の較正データポイントがはめ込まれ、機器のメモリに単一の回帰方程式が記憶される。
【００２８】
【発明の効果】
本発明により、真のＩＯＰたるより正確な測定値がえられる。
別の観点からすると本発明により、ＩＯＰ測定値に影響する要図としての角膜の厚みを除去したＩＯＰ測定値がえられる。
また、本発明のソフトウェアプログラムを用いることにより、現在のＮＣＴハードウェアを使って、上記測定値をうることができる。
【図面の簡単な説明】
【図１】  本発明の一実施例に係わる、非接触式眼圧測定方法を示す略フローチャートである。
【図２】  角膜にかかる力の図であり、そのうちの図２ａは第１の圧平時における角膜にかかる力を示す図であり、そのうちの図２ｂは第２の圧平時における角膜にかかる力のを示す図であ。
【図３】  代表的なＮＣＴ−ＩＯＰ測定のための圧平検出およびプレナム圧力信号を示すグラフである。
【図４】  内側への（第１の）圧平プレナム圧力および外側への（第２の）圧平プレナム圧力に対するプレナム圧力の線形回帰を示すグラフである。
【図５】  本発明の別の実施例に係わる非接触式眼圧測定方法を示す略フローチャートである。
【符号の説明】
Ｃ−−−−−−−角膜
Ｆ１−−−入射パルスの内側を向いた力
Ｆ２−−角膜を曲げるのに必要な力
Ｆ３−−−−−−眼内圧力に寄与する外側に向いた力
【図１】
0004017835.tif 000005
【図２】
0004017835.tif 000006
【図３】
0004017835.tif 000007
【図４】
0004017835.tif 000008
【図５】
0004017835.tif 000009